(57)【要約】  【課題】簡単に雑巾ユニットを着脱できると共に、簡単な水切りユニットを付設するだけで雑巾ユニットの水切りが簡単にできるような迅速乾燥可能なモップを提供する。  【解決手段】棹体１と、棹体１に沿って転動及び滑動ができるスリ−ブ３と、棹体１の下方の外側周囲を被覆していて上端がスリーブ３の下端に設置されて下端が棹体１の下端に設置された雑巾ユニット６とを備えている。さらに、連接ピース４０が雑巾ユニット６の上端とスリーブ３の下端とを連接し、掛止ユニット５が雑巾ユニット６の下端と棹体１の下端とを連接している。従って、連接ピース４０と掛止ユニット５を装着又は抜去することにより、雑巾ユニット６の装着・離脱を容易に行うことができる。【選択図】図１
0003138394.tif 000002
【実用新案登録請求の範囲】
【請求項１】
棹体と、該棹体に沿って転動及び滑動自在なスリ−ブと、前記棹体の下方の外側周囲を被覆し、上端が前記スリーブの下端に設置され、且つ下端が前記棹体の下端に設置された雑巾ユニットとを備える迅速乾燥可能なモップであって、
前記雑巾ユニットの上端と前記スリーブの下端とを連接する連接ピースと、
前記雑巾ユニットの下端と前記棹体の下端とを連接する掛止ユニットとを備え、
前記連接ピース及び前記掛止ユニットの装着又は抜去を介して、前記雑巾ユニットの装着・離脱が可能なように構成されていることを特徴とする迅速乾燥可能なモップ。
【請求項２】
上記連接ピースは、一端が上向きに開口され他端が抑止部となったＬ字型の溝を内側に有し、
上記スリーブは、前記連接ピースと嵌まり合う外径の嵌合部及び該嵌合部に一個以上の突起を下端部に有し、
前記突起が前記開口から前記溝に挿入され、且つ、上記雑巾ユニットの水切り方向と同一方向へ回動されて、前記連接ピースと前記スリーブとが連設されると共に、上記棹体の上段表面に単一方向のラチェットを設け、前記スリーブが、係止拘を有する弾性定位設備を設けて前記ラチェットに係止されることにより、水切り方向が限制されるように構成されていることを特徴とする請求項１に記載の迅速乾燥可能なモップ。
【請求項３】
上記掛止ユニットは、フランジを上記雑巾ユニットの下端に連設したクリップロックと、該クリップロックの上端に設けられてスプリング及該スプリングの両端の挟みヘッドに連設された弾性ユニットとによって構成され、且つ、上記棹体の下端には係合孔が設けられ、
前記掛止ユニットは、前記係合孔に挿入される前記挟みヘッドを介して、前記棹体の下端に連設されるように構成されていることを特徴とする請求項１に記載の迅速乾燥可能なモップ。
【請求項４】
棹体と、該棹体に沿って転動及び滑動自在なスリ−ブと、前記棹体の下方の外側周囲を被覆し、上端が前記スリーブの下端に設置され、且つ下端が前記棹体の下端に設置された雑巾ユニットとを備える迅速乾燥可能なモップであって、
前記雑巾ユニット内の前記棹体の外側に水切りユニットを設けて該雑巾ユニットの水切りを行うように構成されていることを特徴とする迅速乾燥可能なモップ。
【請求項５】
上記水切りユニットは、上下方向に伸縮することができる隙間を有し、且つ予定離間距離によって上記棹体の外側に被覆され、
さらに、前記水切りユニットの上端は上記スリーブに連設され、
前記スリーブは、把持ピースと該把持ピースの下方に螺設されて上端内側に段部が設けられた固定ピースとによって構成されていることを特徴とする請求項４に記載の迅速乾燥可能なモップ。
【請求項６】
上記水切りユニットは塔形スプリングであって、その上端には係止部が設けられて段部に連設され、その下端には収縮部が設けられて上記棹体の下端の予定箇所に設置され、かつ、上記固定ピースの締め付け方向と上記スリーブの水切り方向は同じにあり、前記棹体の上段表面には単一方向の上記ラチェットが設けられ、前記スリーブには係止拘の弾性定位設備が設けられ、
前記係止拘に前記ラチェットを係止することにより、水切り方向が制限できるように構成されていることを特徴とする請求項５に記載の迅速乾燥可能なモップ。
【考案の詳細な説明】
【技術分野】
【０００１】
本考案は、多数の長条の雑巾（以下、モップきれという）で構成された迅速乾燥可能なモップに関し、特に、モップきれの脱着及び水切りが容易に出来る迅速乾燥可能なモップに関するものである。
【背景技術】
【０００２】
日常の生活中において、モップは重要な清潔工具にある。一般的なモップの構造は、多数の長条の雑巾で構成されたモップきれとモップ桿とによって構成され、それらのうちで、モップきれは若干の綿布の縄、又は綿布の条から結成され、且つ、モップきれは鉄線又はひもを利用してモップ桿の先端にくくりつけられている。モップを使用するときには、清水でモップきれを湿らせた後、モップきれを利用して床面等を拭き取ることによってその床面等の塵やほこりを取り除く。また、モップを清掃する場合には、使用者は必ず手でモップきれをしぼって水を切るので、その取扱い上、相当な体力を費やすと共に、使用者の手が床面を拭いたモップきれに直接接触するために不衛生である。
【０００３】
そこで、考案人は、モップに手を触れないでモップきれの水分をしぼリ取り、迅速に乾燥させることが可能なモップを考案した（実用新案登録文献１参照）。
【０００４】
以下、この考案の技術について、図面を参照しながら概略的に説明する。図４は、実用新案登録文献１で開示されたモップの部分部品図であり、ユニットを取り除いた後に見た説明図である。図５は、実用新案登録文献１で用いたモップの固定座とクリップロック（係合ロック）の組み合せ断面図である。図６は、実用新案登録文献１で用いたモップの外スリーブの説明図である。図７は、実用新案登録文献１で用いたモップのスリーブと桿体及び一方向のラチェットの組合せ断面図である。
【０００５】
図４〜図７において、迅速乾燥可能なモップは、係合孔１１１を有する棹体１０１と、棹体１０１の上段表面に設けた単一方向のラチェット１０２と、棹体１０１の円周方向に沿って回動できると共に長手方向に沿って滑動できるスリーブ１０３ａとを備えている。また、棹体１０１の下端にはフランジ１３０ａが設けられ、かつ、スリーブ１０３ａと単一方向のラチェット１０２の対応する位置に開口１３５を設けることで弾性定位設備１０７を設置している。
【０００６】
また、定位ピース１７１の前端部分には、単一方向のラチェット１０２を係止する係止拘１７２が設けられ、定位ピース１７１の中間部分には、ピン１７４を貫通させるための貫通孔１７３が設けられている。さらに、定位ピース１７１の末端部分には突起１７５が設けられ、突起１７５の下方にスプリング１７６が取り付けられている。そして、スプリング１７６の下方の開口部分の壁面には受座１７７が設けられている。
【０００７】
また、棹体１０１の下方には、固定座１０４及び弾性ユニット１５０ａを付設したクリップロック１０５ａが設けられ、スプリング１５１ａ及スプリング１５１ａに連設された両端の左右挟みヘッド１５２ａで結合されている。さらに、クリップロック１０５ａの上端は棹体１０１及固定座１０４の下方に連設し、クリップロック１０５ａの下端にはフランジ１５７が設けられている。また、雑巾ユニット１０６は、上固定素子１６２と下固定素子１６３によって結合され、かつ、固定座１０４とスリーブ１０３ａの外側周囲で被覆されている。
【０００８】
上固定素子１６２はスリーブ１０３ａのフランジ１３０ａ上に固設され、下固定素子１６３はクリップロック１０５ａのフランジ１５７上に固設されているので、挟みヘッド１５２ａの係合孔１１１への進入又は退出によって、簡単に雑巾ユニット１０６の装着及び離脱を行うことができる。
【０００９】
すなわち、スリーブ１０３ａは転動できるように桿体１０１の外側に嵌合されているので、スリーブ１０３ａの底端は雑巾ユニット１０６の頂端に供し、その上に固設することができる。そして、使用者がモップの水分を絞って水を切るときは、スリーブ１０３ａの転動を介すれば雑巾ユニット１０６が桿体１０１の外側に巻きつき、更に、スリーブ１０３ａを下向きに押圧すれば、雑巾ユニット１０６の水分を更に絞って水を切ることができる。雑巾ユニット１０６を絞って水を切るときは、更に人力を省くために、桿体１の上段箇所とスリーブ１０３ａの間に一方向のラチェット１０２を設けて、スリーブ１０３ａが桿体１０１の上でただ一方向に回転できるように形成されている。
【００１０】
このようにして、モップは確実に雑巾ユニット１０６の水切りの過程中において人力を節約でき、かつ直接手で雑巾ユニット６に接触することがなく、その他にも軽易に雑巾ユニット６を着脱することができるので、雑巾ユニット１０６の交換が極めて簡単になる。
【００１１】
しかしながら、雑巾ユニット１０６を交換する際には、常に、工具を利用して上固定素子１６２を破壊しなければならないので、雑巾ユニット１０６を交換するときの使い勝手が悪い。また、雑巾ユニット１０６の水切り時には、棹体１０１の直径が１０〜２０ｍｍ程度であって小さすぎるため、スリーブ１０３ａを余計に回さなければ水切り角度に到達しないので、雑巾ユニット１０６の水切り時においてもモップの使い勝手が悪くなる。
【００１２】
そこで、本考案人は従来のモップの上記欠点に鑑みて思慮研究し、積極的な研究をなし、多年にわたる関連製品の研究開発に従事し、絶えない試験及び改良を経てついに本考案を開発するに到ったのである。
【特許文献１】実用新案登録第３１３３９０６号公報
【考案の開示】
【考案が解決しようとする課題】
【００１３】
本考案の目的は、簡単に雑巾ユニットを着脱できると共に、簡単な水切りユニットを付設するだけで雑巾ユニットの水切りが簡単にできるような迅速乾燥可能なモップを提供することにある。
【課題を解決するための手段】
【００１４】
本考案は上記目的を達成するために提案されたものであり、請求項１に記載の考案は、棹体１と、棹体１に沿って転動及び滑動自在なスリ−ブ３と、棹体１の下方の外側周囲を被覆し、上端がスリーブ３の下端に設置され、且つ下端が棹体１の下端に設置された雑巾ユニット６とを備える迅速乾燥可能なモップであって、雑巾ユニット６の上端とスリーブ３の下端とを連接する連接ピース４０と、雑巾ユニット６の下端と棹体１の下端とを連接する掛止ユニット５とを備え、連接ピース４０及び掛止ユニット５の装着又は抜去を介して、雑巾ユニット６の装着・離脱が可能なように構成されている。
【００１５】
このような構成の迅速乾燥可能なモップによれば、棹体１と、棹体１に沿って転動及び滑動ができるスリ−ブ３と、棹体１の下方の外側周囲を被覆していて上端がスリーブ３の下端に設置されて下端が棹体１の下端に設置された雑巾ユニット６とを備え、連接ピース４０が雑巾ユニット６の上端とスリーブ３の下端とを連接し、掛止ユニット５が雑巾ユニット６の下端と棹体１の下端とを連接しているので、連接ピース４０と掛止ユニット５を装着又は抜去することにより、雑巾ユニット６の装着・離脱を容易に行うことができる。
【００１６】
また、請求項２に記載の考案は、請求項１に記載の考案において、連接ピース４０ｂは、一端が上向きに開口４５され他端が抑止部４６となったＬ字型の溝４４を内側に有し、スリーブ３ｂは、連接ピース４０ｂと嵌まり合う外径の嵌合部３４及び嵌合部３４に一個以上の突起３９を下端部に有し、突起３９が開口４５から溝４４に挿入され、且つ、雑巾ユニット６の水切り方向と同一方向へ回動されて、連接ピース４０ｂとスリーブ３ｂとが連設されると共に、棹体１の上段表面に単一方向のラチェット２を設け、スリーブ３が、係止拘７２を有する弾性定位設備７を設けてラチェット２に係止されることにより、水切り方向が限制されるように構成されている。
【００１７】
このような構成の迅速乾燥可能なモップによれば、連接ピース４０ｂの内側にＬ字型の溝４４を一つ以上有し、その溝４４の一端は上向きに開口４５され、他端は抑止部４６となっている。また、棹体１のスリーブ３ｂの下端外側には、連接ピース４０ｂに嵌まり合うような外径の嵌合部３４が設けられ、上方には段部３８が形成され、その段部３８は連接ピース４０ｂの上方に連設している。また、嵌合部３４には一個以上の突起３９を設けて有り、その突起３９は開口４５から溝４４に入ることができ、且つ、スリーブ３ｂを回動した後に抑止部４６に連設できるようになっている。このとき、連接ピース４０ｂの溝４４とスリーブ３ｂの突起３９が嵌まり合って回動する連設方向とスリーブ３の水切り方向が同じになるように、棹体１の上段表面には単一方向のラチェット２が設けられている。つまり、スリーブ３に係止拘７２を有する弾性定位設備７を設けて、単一方向のラチェット２に係止することで水切り方向を限制することができる。
【００１８】
また、請求項３に記載の考案は、請求項１に記載の考案において、掛止ユニット５は、フランジ５７ａを雑巾ユニット６の下端に連設したクリップロック５ａと、クリップロック５ａの上端に設けられてスプリング５１ａ及スプリング５１ａの両端の挟みヘッド５２ａに連設された弾性ユニット５０ａとによって構成され、且つ、棹体１の下端には係合孔１１が設けられ、掛止ユニット５は、係合孔１１に挿入される挟みヘッド５２ａを介して、棹体１の下端に連設されるように構成されている。
【００１９】
このような構成の迅速乾燥可能なモップによれば、掛止ユニット５は、クリップロック５ａが雑巾ユニット６の下端にフランジ５７ａを連設していて、スプリング５１ａ及スプリング５１ａの両端の挟みヘッド５２ａに連設された弾性ユニット５０ａが、クリップロック５ａの上端に設けられた構成となっている。さらに、棹体１の下端には係合孔１１が設けられ、掛止ユニット５が係合孔１１を介して棹体１の下端に連設されている。
【００２０】
また、請求項４に記載の考案は、棹体１と、棹体１に沿って転動及び滑動自在なスリ−ブ３と、棹体１の下方の外側周囲を被覆し、上端がスリーブ３の下端に設置され、且つ下端が棹体１の下端に設置された雑巾ユニット６とを備える迅速乾燥可能なモップであって、雑巾ユニット６内の棹体１の外側に水切りユニット８０を設けて雑巾ユニット６の水切りを行うように構成されている。
【００２１】
このような構成の迅速乾燥可能なモップによれば、雑巾ユニット６内の棹体１の外側に水切りユニット８０を設けて雑巾ユニット６の水切りを行うように構成されているので、使用者が手を触れることなく容易にモップきれの水切りを行うことができる。
【００２２】
また、請求項５に記載の考案は、請求項４に記載の考案において、水切りユニット８０は、上下方向に伸縮することができる隙間８３を有し、且つ予定離間距離８４によって上記棹体１の外側を被覆し、さらに、水切りユニット８０の上端はスリーブ３に連設され、スリーブ３は、把持ピース３２と把持ピース３２の下方に螺設されて上端内側に段部３７が設けられた固定ピース３６とによって構成されている。
【００２３】
このような構成の迅速乾燥可能なモップによれば、水切りユニット８０は、上下に伸縮できると共に棹体１の外側を被覆していて、上端がスリーブ３に連設されている。また、スリーブ３は、把持ピース３２の下方に螺設されて上端内側に固定ピース３６が設けられている。
【００２４】
また、請求項６に記載の考案は、請求項５に記載の考案において、水切りユニット８０は塔形スプリングであって、その上端には係止部８１が設けられて段部３７に連設され、その下端には収縮部８２が設けられて棹体１の下端の予定箇所に設置され、かつ、固定ピース３６の締め付け方向とスリーブ３の水切り方向は同じにあり、棹体１の上段表面には単一方向のラチェット２が設けられ、スリーブ３には係止拘７２の弾性定位設備７が設けられ、係止拘７２にラチェット２を係止することにより、水切り方向が制限できるように構成されている。
【００２５】
このような構成の迅速乾燥可能なモップによれば、固定ピース３６の締め付け方向とスリーブ３の水切り方向とは同じであり、且つ、棹体１の上段表面に単一方向のラチェット２を設け、スリーブ３には係止拘７２の弾性定位設備７を設けているので、係止拘７２をラチェット２に係止することによって水切り方向を制限することができる。
【考案の効果】
【００２６】
請求項１に記載の考案によれば、連接ピースが雑巾ユニットの上端とスリーブの下端とを連接していると共に、掛止ユニットが雑巾ユニットの下端と棹体の下端とを連接している。従って、連接ピースと掛止ユニットを装着又は抜去することにより、使用者が手を触れなくても、雑巾ユニットの装着・離脱を容易に行うことができるので手を汚すおそれがない。
【００２７】
また、請求項２に記載の考案によれば、スリーブに係止拘を有する弾性定位設備を設けて、単一方向のラチェットに係止することで水切り方向を限制することができる。従って、請求項に１に記載の考案の効果に加えて、雑巾ユニット６を誤って反対方向に回すおそれがないので、モップの使い勝手が極めてよい。
【００２８】
また、請求項３に記載の考案によれば、弾性ユニット５０ａが、クリップロック５ａの上端に設けられた構成となっている。さらに、棹体１の下端には係合孔１１が設けられ、掛止ユニット５が係合孔１１を介して棹体１の下端に連設されている。従って、請求項１に記載の考案の効果に加えて、極めて簡単な構造で雑巾ユニットの装着・離脱を容易に行うことができる。
【００２９】
また、請求項４に記載の考案によれば、水切りユニットを設けて雑巾ユニットの水切りを行うように構成されているので、使用者が手を触れることなく容易にモップ切れの水切りを行うことができる。
【００３０】
また、請求項５に記載の考案によれば、水切りユニット８０は、上下に伸縮できるようになっているので、請求項４に記載の考案の効果に加えて、雑巾ユニットの装着・離脱や水切り操作を行うときの使い勝手が極めてよい。
【００３１】
また、請求項６に記載の考案によれば、係止拘をラチェットに係止するだけで水切り方向を制限することができるので、請求項５に記載の考案の効果に加えて、モップの取扱い作業性が極めてよくなる。
【考案を実施するための最良の形態】
【００３２】
本考案による迅速乾燥可能なモップの最良の形態は、棹体、単一方向ラチェット、スリーブ、クリップロック、及び雑巾ユニットを備えて構成されている。その特徴は、スリーブの下端側において雑巾ユニットの上端に連接ピースを連設し、棹体の下端において雑巾ユニットの下端に掛止ユニットを連設している。これによって、簡単に連接ピース及掛止ユニットを挿入・抜去することができるので、雑巾ユニットの装着・離脱を容易に行うことが可能となる。また、雑巾ユニット内の棹体外側にはモップの水を切る水切りユニットが設けられているので、簡単に雑巾ユニットの水切りを行うことができる。
【００３３】
以下、図面を参照しながら、本考案に係る迅速乾燥可能なモップの具体的な実施例について詳細に説明する。なお、以下に述べる実施例で用いる各図面において同一の構成要素は同一の符号を付し、かつ重複する説明は可能な限り省略する。
【実施例】
【００３４】
図１は、本考案によるモップの部分部品図であり、ユニットを取り除いた後に見た説明図である。図２は、本考案によるモップの使用時の図であり、スリーブを握って棹体を上向きに引張りクリップロック及び雑巾ユニットが下端からスリーブ内に入った状態を示す説明図である。図３は、本考案によるモップの第２実施例の連接ピースとスリーブの説明図である。
【００３５】
図１及び図２に示すように、本考案による迅速乾燥可能なモップは、係合孔１１を有する棹体１と、棹体１の上段表面に設けた単一方向のラチェット２と、棹体１の円周方向に沿って回動できると共に長手方向に沿って滑動できるスリーブ３と、雑巾ユニット６とを備えて構成されている。
【００３６】
また、スリーブ３の下端において、雑巾ユニット６の上端が連接ピース４０によって連設されている。さらに、棹体１の下端において掛止ユニット５を連設することにより、連接ピース４０及び掛止ユニット５を着脱することが容易になり、その結果、雑巾ユニット６を容易に装着・離脱することができる。また、雑巾ユニット６内の棹体１の外側に水を切るための水切りユニット８０が設けられているので、簡単かつ容易に雑巾ユニット６の水切りを行うことができる。
【００３７】
本考案による迅速乾燥可能なモップについてさらに詳細に説明する。雑巾ユニット６は、多数の長条吸水体によって略筒状に形成された雑巾６１と、雑巾６１の上端に固定されていて雑巾６１をスリーブ３の下方に挿設するための上固定素子６２と、雑巾６１の下端に固定されていて雑巾６１を掛止ユニット５の下方で支えるための下固定素子６３とを備えている。
【００３８】
また、掛止ユニット５は下端にフランジ５７ａを備えている。そして、この掛止ユニット５は、雑巾ユニット６の下端でフランジ５７ａの上に連設されたクリップロック５ａと、スプリング５１ａと、スプリング５１ａの両端に連設された挟みヘッド５２ａの弾性ユニット５０ａとによって構成され、クリップロックの上端部分に設けられている。さらに、掛止ユニット５は、挟みヘッド５２ａを介して、棹体１の下端の係合孔１１に連設されている。このような構成により、掛止ユニット５を挿入・抜去することが容易になり、その結果、雑巾ユニット６を容易に装着・離脱するのことができる。
【００３９】
また、スリーブ３は把持ピース３２と固定ピース３６とを保持している。把持ピース３２によって雑巾ユニット６を単一方向へ水切りするとき、弾性定位設備７は、係止拘７２が単一方向のラチェット２に係止されたときにスリーブ３の水を切る方向を制限する。また、固定ピース３６は、把持ピース３２の下方に螺設されていて、その上端内側に段部３７を設けることによって水切りユニット８０を設置している。
【００４０】
また、連接ピース４０は、スリーブ３の下方に螺設され、その外側に溝状のくぼみ４１を有することで雑巾ユニット６の上端の上固定素子６２を固定している。溝状のくぼみ４１の下部はフランジ４２であり、そのフランジ４２の周辺に数個の定位錐４３が設けられているので、水切りのときに雑巾ユニット６の幾つかの点を同時に定位させることができる。尚、スリーブ３の把持ピース３２、固定ピース３６、及び連接ピース４０の縮め付け方向、及びスリーグ３で水を切る方向は同じにあるので、水切り時に雑巾ユニット６がゆるんで離脱するおそれはない。
【００４１】
また、雑巾ユニット６内の棹体１の外側には水切りユニット８０が設けてある。この水切りユニット８０は上下方向に伸縮することができ、かつ、隙間８３を有し予定離間距離８４で棹体１の外側を被覆している。従って、水切り時にスリーブ３の回動回数を減少することができ、かつ、雑巾ユニット６の内部が隙間８３に押し込まれて押圧されるので雑巾ユニット６を容易に水切りすることができる。また、雑巾ユニット６の内部から押し出された汚れ水は予定離間距離８４から流れ出るので、雑巾ユニット６へ吸収されることはない。従って、使用者の手を汚すことなく雑巾ユニット６の水切りを行うことができる。
【００４２】
水切りユニット８０は塔形スプリングであり、その上端に係止部８１を設け、下端は固定ピース３６を貫通した後に段部３７に連設されている。また、水切りユニット８０の下端には収縮部８２が設けられ、その収縮部８２は棹体１の下端における所望の箇所に設置されている。また、その設置箇所には抑止８６が設けられ、収縮部８２は回動自在に抑止８６の下方へ付設されている。さらに、水切りユニット８０の揺動を減少させるため、スリーブ３の下端内側に内フランジ３０ｂを設けることで、水切りユニット８０の中心を定位させている。
【００４３】
図２の本考案によるモップの使用時の図は、説明の便宜上、雑巾ユニット６の細部が省略されている。図２において、モップを使用するときはスリーブ３を握って棹体１を上向きに引張り、掛止ユニット５及び雑巾ユニット６を下端からスリーブ３の内部に入れる。これによって、雑巾ユニット６を介してスリーブ３の内部を塞ぐので、モップきれが容易に脱出するおそれはない。また、スリーブ３の下方にはただ雑巾ユニット６があるだけであるので、そのモップきれによって簡単に床面等をふき拭うことができる。このとき、抑止８６は、棹体１とスリーブ３の把持ピース３２の間を塞いでいるのでスリーブ３の揺動を防止することができる。
【００４４】
次に、図３を用いて、本考案によるモップの第２の実施例について説明する。第２の実施例では、雑巾ユニット６をさらに容易に着脱できるようにするため、連接ピース４０ｂの内側に一個又は二個以上の予定間隔距離の溝４４を設ける。この溝４４はほぼＬ型を呈し、溝４４の一端は上向きの開口４５に形成され、他の一端が抑止部４６である。また、スリーブ３ｂの下端外側には骸合部３４を有し、この骸合部３４の外径は比較的小さく上方に段部３８が形成されている。
【００４５】
さらに、一個又は二個以上の予定間隔距離の突起３９を設け、この突起３９は開口４５から溝４４に入ることができるので、突起３９を回動させた後に抑止部４６へ着設させることができる。このとき、段部３８は連接ピース４０ｂの上方に着設される。
【００４６】
尚、連接ピース４０ｂ及スリーブ３ｂは、弾性を有するプラスチック材料を使用して製造されている。連接ピース４０ｂの溝４４とスリーブ３ｂの突起３９は、所定のクリアランスで嵌め合わされているので、突起３９が溝４４から自然脱落するおそれはない。
【００４７】
また、スリーブ３ｂの突起３９及連接ピース４０ｂの溝４４が嵌め合わされる連設方向とスリーブ３の水を切る方向は同じにあるので、水切り時にスリーブ３ｂの突起３９と連接ピース４０ｂの溝４４が緩んで雑巾ユニット６が脱落するおそれはない。
【００４８】
なお、本考案は、本考案の精神を逸脱しない限り種々の改変を為すことができ、そして、本考案が該改変されたものに及ぶことは当然である。
【産業上の利用可能性】
【００４９】
本考案による迅速乾燥可能なモップは使用者が手を汚すことなく簡単に水切りを行うことができ、かつ衛生的に取り扱うことができるので、一般の家庭などにおいて有効に利用することができる。
【図面の簡単な説明】
【００５０】
【図１】本考案によるモップの部分部品図であり、ユニットを取り除いた後に見た説明図である。
【図２】本考案によるモップの使用時の図であり、スリーブを握って棹体を上向きに引張りクリップロック及び雑巾ユニットが下端からスリーブ内に入った状態を示す説明図である。
【図３】本考案によるモップの第２実施例の連接ピースとスリーブの説明図である。
【図４】従来のモップの部分部品図であり、ユニットを取り除いた後に見た説明図である。
【図５】従来のモップの固定座とクリップロック（係合ロック）の組み合せ断面図である。
【図６】従来のモップの外スリーブの説明図である。
【図７】従来のモップのスリーブと桿体及び一方向のラチェットの組合せ断面図である。
【符号の説明】
【００５１】
１    棹体
２    ラチェット
３，３ｂ  スリーブ
５    掛止ユニット
５ａ  クリップロック
６    雑巾ユニット
７  弾性定位設備
１１  係合孔
３０ａ  フランジ
３０ｂ  内フランジ
３２  把持ピース
３４  嵌合部
３６  固定ピース
３７，３８  段部
３９  突起
４０、４０ｂ  連接ピース
４１  くぼみ
４２  フランジ
４３  定位錐
４４  溝
４５  開口
４６  抑止部
５０ａ  弾性ユニット
５１ａ  スプリング
５２ａ  挟みヘッド
５７ａ  フランジ
６１  雑巾
６２  上固定素子
６３  下固定素子
７１  定位ピース
７２  係止拘
８０  水切りユニット
８１  係止部
８２  収縮部
８３  隙間
８４  予定離間距離
８６  抑止
【図１】
0003138394.tif 000003
【図２】
0003138394.tif 000004
【図３】
0003138394.tif 000005
【図４】
0003138394.tif 000006
【図５】
0003138394.tif 000007
【図６】
0003138394.tif 000008
【図７】
0003138394.tif 000009